(57)【要約】【課題】小型化されたランプユニット及び小型な投写型表示装置を提供する。【解決手段】本発明のランプユニットは、光源ランプ１と、光源ランプ１からの光を反射する楕円リフレクタ２と、楕円リフレクタ２の第１焦点３と第２焦点４との間であり、楕円リフレクタ２の開放端側に設けられたランプホルダ１５とを有するランプユニット２０において、ランプホルダ１５に形成された保持孔１５ａ内に保持された集光位置補正用凹レンズ１２と、ランプホルダ１５の内部に設けられた、集光位置補正用凹レンズ１２を光軸に対して交差する方向に移動させて集光位置補正用凹レンズ１２の位置の調整を行う凹レンズ移動機構１３とを有する。【選択図】図１
2008204643.tif 000002
【特許請求の範囲】
【請求項１】
光源ランプと、前記光源ランプからの光を反射するリフレクタと、前記リフレクタの第１焦点と第２焦点との間であり、前記リフレクタの開放端側に設けられたランプホルダとを有するランプユニットにおいて、
前記ランプホルダに形成された保持孔内に保持された凹レンズと、前記ランプホルダの内部に設けられた、前記凹レンズを光軸に対して交差する方向に移動させて前記凹レンズの位置の調整を行う調整手段とを有することを特徴とするランプユニット。
【請求項２】
前記調整手段は、少なくとも１組のネジと弾性部材とを有し、前記弾性部材は前記凹レンズを挟んで前記ネジに対向して配置されていることを特徴とする請求項１に記載のランプユニット。
【請求項３】
前記凹レンズの直径が、前記リフレクタの開口部の直径よりも小さいことを特徴とする請求項１または２に記載のランプユニット。
【請求項４】
請求項１ないし３のいずれか１項に記載のランプユニットと、
前記第２焦点に集光された光束が入射し、入射した前記光束の集光分布を均一な集光分布へと変換して出射させる集光分布変換手段と、
前記集光分布変換手段から出射した前記光束を集光させる集光手段と、
前記集光手段により集光された前記光束を画像情報に応じて変調して光学像を形成する画像形成素子とを有する投写型表示装置。
【請求項５】
前記集光分布変換手段は、４面の反射鏡で構成されるライトトンネル、または矩形断面のロッドインテグレータであることを特徴とする請求項４に記載の投写型表示装置。
【請求項６】
前記画像形成素子がデジタル・マイクロミラー・デバイスであることを特徴とする請求項５に記載の投写型表示装置。
【請求項７】
請求項４ないし６のいずれか１項に記載の投写型表示装置の製造方法であって、
前記調整手段によって前記凹レンズの位置を調整することで、前記光軸からずれた位置に配置された前記光源ランプからの光を、前記集光分布変換手段の入射側の光軸上に集光させておく工程を含む投写型表示装置の製造方法。
【発明の詳細な説明】
【技術分野】
【０００１】
本発明は投写型表示装置に用いるランプユニットに関し、特にランプユニットから発せられる光束の照明位置の調整ができるランプユニットに関する。さらには、当該ランプユニットを備えた投写型表示装置に関し、特にミラー投写光学系を有した投写型表示装置及び投写型表示装置の製造方法に関する。
【背景技術】
【０００２】
従来から、デジタル・マイクロミラー・デバイス（以下、ＤＭＤと略称する）などの画像形成素子を用いて画像信号に対応した変調光束を形成して、その変調光束をスクリーン上に拡大投写する構成の投写型表示装置が、プレゼンテーションなどの目的で多用されている。
【０００３】
このように画像形成素子としてＤＭＤを用いた投写型表示装置においては、ランプユニットから発せられた光をＤＭＤに均一に照射するために中空のライトトンネルと呼ばれる光学素子や中実のロッドインテグレータと呼ばれる光学素子が用いられている。ランプユニットは、超高圧水銀灯からなるランプと、回転楕円面鏡であるリフレクタと、これらを保持しランプユニット全体として交換可能な形態にするランプハウジングと、で構成されている。
【０００４】
当該リフレクタの第１焦点にランプの発光部が配置され、当該リフレクタの第２焦点はライトトンネルあるいはロッドインテグレータの入射端面に配置される。その結果、ランプの発光部の像（アーク像）がライトトンネルあるいはロッドインテグレータの入射端面に結像される。ところが、ライトトンネルへの入射光（アーク像）はライトトンネルの光軸からずれてしまうことがあり、このように入射光がライトトンネルの光軸からずれると投写画像に輝度ムラが生じてしまう場合があった。このような問題を解決するために、ランプの発光部は、当該リフレクタの第１焦点に精密に配置することが必要となる。よって、ランプをリフレクタに取り付ける工程で、ランプの発光部が当該リフレクタの第一焦点に一致するように調整していた。さらに、この調整だけでは不十分であるので、ランプユニットを投写型表示装置に組み込む工程において、リフレクタごとその位置を調整する作業を行っていた。
【０００５】
図８に従来の集光位置補正機構の一例の構成図を示す。
【０００６】
ランプユニット１２０は前面が開放する楕円リフレクタ１０２と、楕円リフレクタ１０２の第１焦点に配置された光源ランプ１０１とを有する。楕円リフレクタ１０２の前面部にはホルダ１１５Ａが装着されており、このホルダ１１５Ａは、ホルダ１１５Ｂに対して集光位置補正機構１０６を介して保持されている。図８に示す例では上下方向を補正する集光位置補正機構１０６のみが図示されているが、左右方向（紙面に対して奥行き方向）の補正を行う集光位置補正機構１０６も備えている。集光位置補正機構１０６は、位置調整用ネジ１０７をねじ込む、あるいは緩めることによりランプユニット１２０全体を上下左右方向に移動させ、集光位置の補正を行う。同様の構成が例えば、特許文献１および特許文献２にも開示されている。
【特許文献１】特開２００３―３３０１１４号公報
【特許文献２】特開２００６−２６９１７０号公報
【発明の開示】
【発明が解決しようとする課題】
【０００７】
従来のＤＭＤを用いた投写型表示装置は、ランプを楕円リフレクタに取り付ける工程において、楕円リフレクタの第１焦点にランプの発光部を正確に位置決めする必要がある。しかし、ランプをリフレクタの第１焦点に正確に位置決めして取り付ける工程は複雑であるのでコストアップ要因の１つとなっていた。また、正確に位置決めしたにもかかわらずランプ本体の製造誤差により、例えばランプの発光部が傾斜するなど、理想状態から外れることも多い。このようなランプの発光部の変動は、集光分布の偏りとして現れ、集光分布ピークがライトトンネルの入射面の中央に位置されないという問題が生じる。したがって、この偏りを補正するために、装置上での調整が必要不可欠であった。しかしながら、上述した従来の調整方法は、調整機構がリフレクタの外側に設けられるのでその分だけランプユニットが大きくなり装置の小型化が困難であった。
【０００８】
また、光利用効率は、照明光学系のＦナンバーと投写光学系のＦナンバーが一致したときに最大となるが、投写光学系として暗い光学系（Ｆナンバーが大きな光学系）を用いた場合、照明光学系のＦナンバーを大きくすると楕円リフレクタの焦点距離を長くせざるを得ない。このため、光源からライトトンネルまでの距離が長くなり、装置が大きくなってしまう問題があった。特に、口径が小さなレンズやミラー光学系が採用される投写光学系は暗い光学系となるが、装置の小型化が要求されることから楕円リフレクタの焦点距離の増大は深刻な問題となる。
【０００９】
そこで、本発明は、小型化されたランプユニット及び小型な投写型表示装置を提供することを第一の目的とする。また、本発明は光源ランプをリフレクタの第１焦点に正確に位置決めして取り付ける工程を要しない投写型表示装置の製造方法を提供することを第二の目的とする。
【課題を解決するための手段】
【００１０】
上記第一の目的を達成するために本発明のランプユニットは、光源ランプと、光源ランプからの光を反射するリフレクタと、リフレクタの第１焦点と第２焦点との間であり、リフレクタの開放端側に設けられたランプホルダとを有するランプユニットにおいて、
ランプホルダに形成された保持孔内に保持された凹レンズと、ランプホルダの内部に設けられた、凹レンズを光軸に対して交差する方向に移動させて凹レンズの位置の調整を行う調整手段とを有することを特徴とする。
【００１１】
上記のとおり本発明のランプユニットは、凹レンズの位置を調整する調整手段によって、光源ランプが光軸に対してずれて取り付けられてしまった場合であっても所定の位置において好適な集光分布を得るように調整できる。さらに、調整手段はランプホルダの内部に設けられているので、調整手段を具備したことによってランプユニットが大型化することもない。また、本発明のランプユニットは、リフレクタの第１焦点と第２焦点との間に配置されたランプホルダ内に凹レンズを有する。このような位置に凹レンズを配置することで第２焦点での集光角度を浅くすることができる。これによりリフレクタの焦点距離を長くすることなくＦナンバーを大きくすることができるため、暗い投写光学系を用いる場合でも投写型表示装置の小型化を図ることができる。
【００１２】
本発明のランプユニットの調整手段は、少なくとも１組のネジと弾性部材とを有し、弾性部材は凹レンズを挟んでネジに対向して配置されているものであってもよい。
【００１３】
本発明のランプユニットの凹レンズの直径は、リフレクタの開口部の直径よりも小さいものであってもよい。
【００１４】
本発明の投写型表示装置は、本発明のランプユニットと、第２焦点に集光された光束が入射し、入射した光束を均一な集光分布へと変換して出射させる集光分布変換手段と、集光分布変換手段から出射した光束を集光させる集光手段と、集光手段により集光された光束を画像情報に応じて変調して光学像を形成する画像形成素子とを有する。
【００１５】
本発明の投写型表示装置は、上述したように本発明のランプユニットが調整手段を備えていてもランプユニット自体が大型化することがないこと、さらには、リフレクタの焦点距離を長くすることなくＦナンバーを大きくすることができることより、暗い投写光学系を用いる場合でも装置自体の小型化を図ることができる。
【００１６】
本発明の投写型表示装置の集光分布変換手段は、４面の反射鏡で構成されるライトトンネル、または矩形断面のロッドインテグレータであってもよい。
【００１７】
また、本発明の投写型表示装置は、画像形成素子がデジタル・マイクロミラー・デバイスであってもよい。
【００１８】
上記第二の目的を達成するために本発明の投写型表示装置の製造方法は、本発明の調整手段によって凹レンズの位置を調整することで光軸からずれた位置に配置された光源ランプからの光を集光分布変換手段の入射側の光軸上に集光させておく工程を含む。
【００１９】
このように本発明の投写型表示装置の製造方法は、凹レンズの位置を調整することで光源ランプが光軸からずれて配置されたことによる集光分布の偏りを補正することができる。このため、光源ランプをリフレクタの第１焦点に正確に位置決めして取り付ける工程を省略することができる。
【発明の効果】
【００２０】
本発明によれば、光源ランプからの光束を所定の位置において好適に集光させるための調整手段がランプホルダの内部に設けられているのでランプユニットを小型化することができる。また、本発明によれば、凹レンズにより第２焦点での集光角度を浅くしてＦナンバーを大きくすることができるため、暗い投写光学系を用いる場合でも投写型表示装置の小型化を図ることができる。
【００２１】
また、本発明の投写型表示装置の製造方法によれば、凹レンズの位置を調整することで光源ランプが光軸からずれて配置されたことによる集光分布の偏りを補正することができるため、光源ランプをリフレクタの第１焦点に正確に位置決めして取り付ける工程を省略することができる。
【発明を実施するための最良の形態】
【００２２】
次に、本発明の実施の形態について図面を参照して説明する。
【００２３】
図１は本実施形態のランプユニットの側断面図であり、図２（ａ）はランプユニットの側面図であり、図２（ｂ）は図２（ａ）のＡ−Ａ線における断面図である。また、図３は、楕円リフレクタを用いた投写型表示装置の照明光学系の構成図である。
【００２４】
本実施形態のランプユニット２０は、光源ランプ１と、前面が開放する楕円リフレクタ２と、楕円リフレクタ２の開放部に設けられたランプホルダ１５と、ランプホルダ１５内に保持された集光位置補正用凹レンズ１２と、集光位置補正用凹レンズ１２の位置を調整するための凹レンズ移動機構１３とを有する。
【００２５】
また、本発明の投写型表示装置の照明光学系は、図３に示すように、ランプユニット２０と、ライトトンネル５と、コンデンサレンズ８とを有する。
【００２６】
楕円リフレクタ２は、耐熱性ガラスからなる本体の内周面または外周面に反射膜（図示せず）を設けたガラス製リフレクタであり、第１焦点３及び第２焦点４を有している。楕円リフレクタ２の反射面は、第１焦点３に配置された光源ランプ１からの放射光をランプユニットの中心軸（楕円リフレクタ２の中心軸）の延長線上の第２焦点４に集光する方向に反射して楕円リフレクタ２の前面の開放部から前方に出射する楕円面に形成されている。
【００２７】
光源ランプ１は第１焦点３に配置されて白色光を発生し、例えば超高圧水銀ランプであってもよい。
【００２８】
凹レンズ移動機構１３は、図２（ｂ）に示すように、２本の送りねじ１６とこれら送りねじ１６のそれぞれに対向して配置された２本の押さえバネ１７とを有する。一方の送りねじ１６及び押さえバネ１７の組は、ランプホルダ１５のＹ軸上に配置され、他方の送りねじ１６及び押さえバネ１７の組は、Ｙ軸に直交するＸ軸上に配置されている。これらＸ、Ｙ軸は光軸Ｏに交差する方向の軸である。集光位置補正用凹レンズ１２は、これら２組の送りねじ１６及び押さえバネ１７によって挟み込まれることでランプホルダ１５の保持孔１５ａ内にて保持されている。集光位置補正用凹レンズ１２の位置調整は、各送りねじ１６をねじ込む、あるいは緩めることにより上下左右方向、すわなち、光軸Ｏに交差する方向に移動させて行う。また、送りねじ１６はランプホルダ１５に形成された座繰り穴１５ｂ内に配置されているため、ランプホルダ１５から送りねじ１６の頭部が突出することはない。また、押さえバネ１７もランプホルダ１５内に埋設されている。このように本実施形態の凹レンズ移動機構１３は、ランプホルダ１５内に設けられているため、凹レンズ移動機構１３を備えたことによってランプユニット２０が大型化することはない。
【００２９】
集光位置補正用凹レンズ１２は、所望の集光位置（光強度が一番強い部分）をライトトンネル５の入射側の開口部、あるいは開口部近傍であって光軸Ｏ上に集光させ、かつＦナンバーを整合させるためのものであり、図３に示すように、光源ランプ１と楕円リフレクタ２の第２焦点４との間に配置されている。また、集光位置補正用凹レンズ１２は、光源ランプ１とライトトンネル５の入射側開口部との間に配置されているともいえる。なお、集光位置補正用凹レンズ１２の直径は楕円リフレクタ２の開口部の直径よりも小さいので、集光位置補正用凹レンズ１２を用いてもランプユニット２０が大型化することはない。
【００３０】
ライトトンネル５は、図４に示すように、４枚の平面反射鏡をそのミラーコート面５ａが内側に来るような矩形開口面の筒形状に形成したものである。このライトトンネル５の矩形開口部の一端側は、楕円リフレクタ２の第２焦点４となる位置に配置させている。光源ランプ１から発した光線はライトトンネル５の開口部からその内部に入射する。ライトトンネル５に入射した光線は、ライトトンネル５の内部で反射を複数回繰り返し、ライトトンネル５の他方の矩形開口部からその外部へ出射する。その際、繰り返し反射をした光線成分が出口面で重ね合わさることによって、入射時には中央に大きなピークを持つ不均一な集光分布を均一な集光分布へと変換して出射する。同様の働きを持つ部品としてロッドインテグレータと呼ばれるものも存在する。ロッドインテグレータは４枚の平面ミラー組み合わせの矩形筒ではなく、矩形断面のガラス棒で構成される。このガラス棒に入射した光線はガラス棒内部で反射（全反射）を繰り返すことでライトトンネルと同じ効果を持たせることが可能となる。
【００３１】
コンデンサレンズ８は、矩形像（ライトトンネル出射面像）と映像表示デバイス９との双方を共役関係とする両者の間に配置されている。コンデンサレンズ８からの出射光は映像表示デバイス９を矩形形状で均一に照明し、不図示の投写光学系を介してスクリーン上に拡大投写される。投写光学系はレンズを用いないミラー光学系である。投写光学系はミラー光学系に限定されず、Ｆナンバーが大きないわゆる「暗い」投写光学系に特に有効である。なお、光均一化素子としてライトトンネル５を用いる場合、ライトトンネル５の入射側の開口部のほぼ中心に、光強度が一番強くなるように集光させる。
【００３２】
映像表示デバイス９は、ＤＭＤであってもよい。ＤＭＤは、画素相当数の極小のミラーが敷き詰められた光半導体デバイスであり、傾きが画像情報に基づいて制御された各ミラーに光源からの光を当てて反射させることにより、入射面に集光された光束の各原色光を同映像信号に対応してそれぞれ光変調する。映像表示デバイス９で変調された光は、不図示の投射レンズによってスクリーンに拡大投射され、スクリーン上に投影される。
【００３３】
ここで、第２焦点面における集光分布について図５及び図６―１ないし図６−３を用いて説明する。
【００３４】
図６−１に理想状態の第２焦点面における集光分布を示す。第２焦点における光線の集光分布は、中心部にピークを持つ分布となる。しかしながら、このまま光線を映像表示デバイス９の照明に用いると、中央部が明るく周辺部が暗い明るさが不均一な画像となってしまう。そこで、光の集光分布を均一にするため、上述したライトトンネル５が配置される。
【００３５】
ライトトンネル５を用いる場合、ライトトンネル５の入射側の開口部のほぼ中心に、光強度が一番強い部分を集光させる必要がある。ところが、前述したように個体差によって、楕円リフレクタ２の第１焦点３に光源ランプ１が配置されるように接合されても、ライトトンネル５の開口部中央に集光しない場合がある（図６−２参照）。すわなち、図５（ａ）に示すにように、発光光源（アーク）１４が光軸Ｏに対してずれることなく配置されていれば良好な集光分布を得ることができるが、図５（ｂ）に示すにように、光源部放電電極１１が光軸Ｏに対してずれた状態では発光光源１４も光軸Ｏに対して傾斜してしまい、開口部中央に集光しなくなってしまう。このような状態では、ライトトンネル５の入射側の開口部で光の損失が生じ、光利用効率が低下してしまう。
【００３６】
また、装置全体を小型にするため焦点距離が短い楕円リフレクタを用いると、照明光学系のＦナンバーが小さくなるので、ミラー光学系のようにＦナンバーが大きな投写光学系を有する装置では、照明光学系と投写光学系のＦナンバーの非整合性により光利用効率が低下してしまう。
【００３７】
これに対して本実施形態の場合、ランプユニット２０のランプホルダ１５に、集光位置補正用凹レンズ１２を配置することでこれらの課題を解決している。
【００３８】
第一に、個体差によって光源ランプ１の位置が光軸Ｏからずれて取り付けられしまったランプユニット２０が製造された場合であっても、凹レンズ移動機構１３の２つの送りねじ１６を締め込む、あるいは緩めることによって集光位置補正用凹レンズ１２を移動させ、ライトトンネル５の開口部側の光軸上、すわなち、ライトトンネル５の開口部側の中央に集光させることができる。このため、本実施形態のランプユニット２０を用いることで図６−３に示すような第２焦点面における集光分布を得ることができる。このように、本実施形態の場合、光源ランプ１を楕円リフレクタ２に取り付ける工程において、楕円リフレクタ２の第１焦点３に光源ランプ１の発光部の正確な位置決めを要することがない。よって、本実施形態のランプユニットを用いることで、従来、コストアップの要因であった光源ランプを楕円リフレクタに正確に取り付けるという工程を省略することができる。
【００３９】
第二に、本実施形態の照明光学系３０は、集光位置補正用凹レンズ１２を光源ランプ１と楕円リフレクタ２の第２焦点４との間に配置していることで以下の効果を得ることができる。
【００４０】
光源ランプ１は楕円リフレクタ２の第１焦点３およびその近傍に配置されており、光源ランプ１から発せられた光は楕円リフレクタ２で反射されて第２焦点４に向かう。本実施形態の照明光学系の場合、第２焦点４の手前に集光位置補正用凹レンズ１２を配置しているため、集光位置補正用凹レンズ１２を通過した光は集光位置補正用凹レンズ１２で発散作用を受ける。よって、光線の集光角度が小さくなるので照明光学系のＦナンバーを実質的に大きくすることができる。
【００４１】
通常、集光角度を小さくするには、第２焦点を第１焦点３からできるだけ遠方に位置させることが必要である。そのためには光源ランプ１からの発散光を反射面に取り込むために楕円リフレクタ２の形状を大きく深くせざるを得ず、投射装置全体が非常に大型となってしまう。この点、本願発明における方法では、集光位置補正用凹レンズ１２の直径は楕円リフレクタ２の開口よりも小さく、かつ、楕円リフレクタ２の焦点距離も短く、外形も小さなものを使用できるので投射装置全体は小さくすることができる。
【００４２】
第三に、集光位置補正用凹レンズ１２を光源ランプ１と楕円リフレクタ２の第２焦点４との間に配置していることで光利用効率を高くすることができる。
【００４３】
一般に、楕円リフレクタ２を用いた方式の場合、ＦナンバーはＦno＝０．８前後となる。楕円リフレクタ２で反射された光はライトトンネル５を出射後、コンデンサレンズ８にて２〜３倍に拡大して映像表示デバイス９を照明する。その時の光線角度θ2はそのコンデンサレンズ８の倍率と関係し、映像表示デバイス９に入射する光線のＦナンバーは上記計算のようにＦno＝１．６〜２．４程度である。その後、投写光学系に入射するが、その投写光学系のＦナンバーはレンズを用いた光学系の場合、Ｆno＝２．０〜３．３が一般的である。
【００４４】
光学系の明るさを示すのにＦナンバーは、光学系の焦点距離と口径の比で表示され、以下の計算式の関係がある。以下、図３を参照しながらより具体的に説明する。
【００４５】
通常使用する楕円リフレクタ２の場合で、一例として第１焦点及び第２焦点をそれぞれｆ１＝３ｍｍ、ｆ２＝６５ｍｍとする。楕円リフレクタ２で反射可能な最大の光線角度θ1＝３３°は、ライトトンネル５の出射光線角度と同じである。ここで、コンデンサレンズ８（倍率ｎ＝２）に入射すると、映像表示デバイス９に入射する角度θ2は下式（１）から
θ2＝θ1／ｎ＝３３／２＝１６．５°  ・・・式（１）
となる。
【００４６】
ここで、
Ｆno＝１／（２・ｔａｎθ）＝ｆ／ｄ
θ＝ｔａｎ-1｛ｄ／（２・ｆ）｝  ・・・式（２）
で表される式（２）に基づきＦ／を換算すると、
Ｆno＝１／（２・ｔａｎθ）＝１／（２・ｔａｎ（１６．５））＝１．７
となり、投写結像系Ｆno＝２．０〜３．３に対し、大幅に明るくなってしまう。つまり、照明光学系の余剰分光量は、投写光学系の絞りにおいて遮光することとなるので光利用効率が低下することとなる。
【００４７】
また、一般的なミラー方式の投写光学系においては、ＦナンバーはＦno＝３．０〜３．５であり、これに対して従来の一般的な照明光学系のＦナンバーはＦno＝１．６〜２．４程度であるため、光利用効率が低い。
【００４８】
一方、本発明のランプユニット２０は集光位置補正用凹レンズ１２で集光角度を浅くすることで、照明光学系のＦナンバーをＦno＝３．０〜３．５程度に大きく（暗く）することができる。これにより、照明光学系のＦナンバーと投写光学系のＦナンバーをほぼ一致させることができ、その結果、光利用効率を向上させることができた。
（投写型表示装置）
図７に本実施形態の照明光学系を備えたミラープロジェクタの外観図を示す。
【００４９】
ミラープロジェクタ４０は、照明光学系３０から出射され、映像表示デバイス９によって光変調された変調光を複数の反射ミラー４３によってスクリーン４１へ向けて反射（投射）し、該変調光をスクリーン４１上に映像を映し出す。なお、本実施形態の照明光学系はミラープロジェクタ以外のプロジェクタ以外にも適用可能であることは言うまでもない。
【図面の簡単な説明】
【００５０】
【図１】本発明のランプユニットの側断面図である。
【図２】本発明のランプユニットの側面図及び図２（ａ）のＡ−Ａ線における断面図である。
【図３】楕円リフレクタ方式による投写型表示装置の照明系の構成図である。
【図４】ライトトンネルの斜視概略図である。
【図５】電極ずれにより生じた光源と光軸のずれを説明する図である。
【図６−１】ライトトンネル入口の第２焦点面での理想状態の集光分布を示す図である。
【図６−２】光源と光軸のずれた状態におけるライトトンネル入口の第２焦点面での集光分布を示す図である。
【図６−３】光源と光軸のずれた状態を本発明のランプユニットにより補正した場合のライトトンネル入口の第２焦点面での集光分布を示す図である。
【図７】本発明の照明系を適用したプロジェクタの一例の外観図である。
【図８】従来の集光位置補正機構の一例の構成図である。
【符号の説明】
【００５１】
１    光源ランプ
２    楕円リフレクタ
３    第１焦点
４    第２焦点
４    平面ミラー
４    平面反射鏡
５ａ    ミラーコート面
５    ライトトンネル
８    コンデンサレンズ
９    映像表示デバイス
１１    光源部放電電極
１２    集光位置補正用凹レンズ
１３    凹レンズ移動機構
１４    発光光源
１５    ランプホルダ
１５ａ    保持孔
１６    送りねじ
１７    押さえバネ
２０    ランプユニット
３０    照明光学系
４０    ミラープロジェクタ
４１    スクリーン
４２    筐体
４３    反射ミラー
Ｏ    光軸
【図１】
2008204643.tif 000003
【図２】
2008204643.tif 000004
【図３】
2008204643.tif 000005
【図４】
2008204643.tif 000006
【図５】
2008204643.tif 000007
【図６−１】
2008204643.tif 000008
【図６−２】
2008204643.tif 000009
【図６−３】
2008204643.tif 000010
【図７】
2008204643.tif 000011
【図８】
2008204643.tif 000012